(57)【特許請求の範囲】
【請求項１】
医療従事者が医療行為にあたり着用する防護ガウンと、前記防護ガウンの上から着用するエプロンと、両眼部防護用のアイシールドと、鼻及び口の防護用のマスクと、頭部防護用のキャップと、から構成される医療用防護具セットにおいて、
前記防護用マスク及び前記防護ガウンは、前身頃と右側身頃と左側身頃とを有し、背開きになるように構成され、
前記右側身頃及び前記左側身頃の双方の側縁部内面若しくは双方の側縁部外面の襟部及び腰部に対応する位置に留め具を設け、着用時に前記右側身頃及び前記左側身頃に設けられた留め具を対向させて着用者の背面側で係止して留めるように構成されていると共に、着用者が前記防護ガウンの前身頃を掴んで着用者から見て前方に前記前身頃を引っ張ることによって前記留め具が容易に剥離するように構成されていることを特徴とする医療用防護具セット。
【請求項２】
医療従事者が医療行為にあたり着用する防護ガウンと、前記防護ガウンの上から着用するエプロンと、両眼部防護用のアイシールドと、鼻及び口の防護用のマスクと、頭部防護用のキャップと、から構成される医療用防護具セットにおいて、
前記防護ガウンは、前身頃と右側身頃と左側身頃とを有し、前記右側身頃と左側身頃に腰紐を設けて背開きになるように構成され、
前記腰紐の一端部を右側身頃及び左側身頃に固着し且つ双方の他端部の内面若しくは双方の他端部の外面に留め具を設け、留め具が、着用時に第一及び第二の留め具を対向させて着用者の背面側で係止して留めるように構成されると共に、着用者が前記前身頃を掴んで着用者から見て前方に前記前身頃を引っ張ることによって前記留め具が容易に剥離するように構成されていることを特徴とする請求項１に記載の医療用防護具セット。
【請求項３】
医療従事者が医療行為にあたり着用する防護ガウンと、前記防護ガウンの上から着用するエプロンと、両眼部防護用のアイシールドと、鼻及び口の防護用のマスクと、頭部防護用のキャップと、から構成される医療用防護具セットにおいて、
前記防護ガウンは、前身頃と右側身頃と左側身頃とを有し、前記右側身頃と左側身頃に腰紐を設けて背開きになるように構成され、
前記腰紐の一端部を右側身頃及び左側身頃に固着し且つ一方の腰紐の他端部に第一の留め具を設け、他方の腰紐の中間付近に第二の留め具を設けて、着用時に第一及び第二の留め具を着用者の背面側で係止して留めるように構成されると共に、着用者が他方の腰紐の他端部を掴んで下方に引っ張ることによって前記留め具が容易に剥離するように構成されていることを特徴とする請求項１及び請求項２に記載の医療用防護具セット。
【請求項４】
医療従事者が医療行為にあたり着用する防護ガウンと、前記防護ガウンの上から着用するエプロンと、両眼部防護用のアイシールドと、鼻及び口の防護用のマスクと、頭部防護用のキャップと、から構成される医療用防護具セットにおいて、
前記エプロンは、頸紐の両端部を前掛け部の上方部分の左右両側にそれぞれ取り付けており、前記頸紐の端部の内の何れか一方には第一の留め具を設け、且つ前記第一の留め具を取り付ける前掛け部には、前記頸紐の一方の端部に設けられた前記第一の留め具と係合するための第二の留め具を設けており、前記頸紐が、着用者の胸部付近で着脱可能に構成されていることを特徴とする請求項１乃至請求項３に記載の医療用防護具セット。
【発明の詳細な説明】
【０００１】
【発明の属する技術分野】
本発明は、菌やウィルスに感染した感染患者あるいは感染物を扱う医療従事者が、医療行為を行う際に着用するのに好適な医療用防護具セットに関するものである。
【０００２】
【従来の技術】
従来、医療従事者は、自身の身体から雑菌を患者に感染させないようにすると共に、患者からの血液等の飛散あるいは菌やウィルスの感染患者あるいは感染物から自身が感染しないようにするために、医療用防護具として、防護ガウンとエプロンを着用すると共に頭部にはキャップを，鼻及び口にはマスクを，両眼部にはアイシールドを着用して医療行為を行っている。
【０００３】
【発明が解決しようとする課題】
ここで、感染患者や感染物に触れた手を自分の顔に近付ける行為は、その医療従事者自らがその細菌やウィルスに感染してしまう可能性があることから最も危険な行為とされているが、従来の医療用防護具たる防護ガウンやエプロンは、頸の後ろで紐を結ぶ等して着用するタイプが一般的であり、医療従事者が医療行為終了後にこれらの医療用防護具を脱衣するために頸の後ろで結ばれている紐を解く際に、感染患者や感染物に触れた手を自分の顔に近付けなくてはならない。その結果、医療従事者自身が菌やウィルスに感染してしまうという危険性が十分にあった。
【０００４】
そこで本発明の目的は、医療行為において感染患者や感染物に触れた後、その手を自らの顔に近付けることなく簡単に脱衣可能であり、着用者である医療従事者を感染の危険性から確実に守ることができる医療用防護具セットを提供することである。
【０００５】
【課題を解決するための手段】
上記目的を達成するため、本発明の医療用防護具セットは、医療従事者が医療行為にあたり着用する防護ガウンと、前記防護ガウンの上から着用するエプロンと、両眼部防護用のアイシールドと、鼻及び口の防護用のマスクと、頭部防護用のキャップと、から構成されており、また前記防護ガウンは、前記右側身頃及び前記左側身頃の双方の側縁部内面若しくは双方の側縁部外面の襟部及び腰部に対応する位置に留め具を設け、着用時に前記右側身頃及び前記左側身頃に設けられた留め具を対向させて着用者の背面側で係止して留めるように構成されていると共に、着用者が前記防護ガウンの前身頃を掴んで着用者から見て前方に前記前身頃を引っ張ることによって前記留め具が容易に剥離するように構成されている。
【０００６】
また、本発明の医療用防護具セットにおける前記エプロンは、頸紐の両端部を前掛け部の上方部分の左右両側にそれぞれ取り付けており、前記頸紐の端部の内の何れか一方には第一の留め具を設け、且つ前記第一の留め具を取り付ける前掛け部には、前記頸紐の一方の端部に設けられた前記第一の留め具と係合するための第二の留め具を設けており、前記頸紐が、着用者の胸部付近で着脱可能に構成されている。また、前記エプロンは、二本の頸紐が前掛け部の上方部分における左右両側にそれぞれ取り付けられると共に、各頸紐の自由端部にはそれぞれ留め具が設けられており、前記頸紐が、各頸紐に取り付けられた留め具によって着脱できるよう構成されている。
【０００７】
【発明の実施の形態】
本発明の一実施形態による医療用防護具セットの各種医療用防護具について、図１及び図２を参照して説明する。図１は本発明の一実施形態による防護ガウンの構成図である。また、図２では本防護ガウンの着用時の形態を説明する図であり、図２（ａ）は正面側から見た図、図２（ｂ）は背面側から見た図である。
【０００８】
＜防護ガウンの構成＞
まず、本実施形態における医療用防護具としての防護ガウン１の構成について説明する。本実施形態の防護ガウン１は、前身頃２と，右側身頃３と，左側身頃４と，両袖５ａ，５ｂと，襟部６とを有し、図１に示すように背開きになるように構成されている。また、着用時に右側身頃３と左側身頃４とを閉じるための留め具として、複数の面ファスナ７が取り付けられている。尚、本実施形態では、右側身頃３及び左側身頃４における防護ガウン１の襟部６，並びに防護ガウン１着用時に着用者の腰部及び背中に対応する部分にそれぞれ面ファスナ７が取り付けられているが、襟部６以外における面ファスナ７の取付位置，取付個数，面ファスナ７の大きさや形状等は図１及び図２に示すものに限定されず、任意に設定可能である。
【０００９】
また、医療従事者は、鼻や口からの細菌感染を防止するためにマスクを着用し、そのマスクの上から更にマスクカバーを装着して医療行為を行うが、本実施形態では、着用者の頸部の保護についても考慮し、防護ガウン１の襟部６にマスクカバーとしてのマスク部分８が設けられ、防護ガウン１とマスク部分８とが一体となっている。前記マスク部分８には、防護ガウン１と同様に背開きになるように構成されており、マスク部分８を背面側で閉じるための留め具として面ファスナ７が取り付けられている。
【００１０】
尚、本実施形態の防護ガウン１に使用される布地の素材としては、菌やウィルスに対してバリヤー性が高く、また医療行為をし易いように通気性のあるものが好ましいことから不織布が用いられており、更にこの不織布には、水をある程度まで染み込ませないように撥水処理が施されている。
【００１１】
＜留め具による留め方＞
次に、上記のような構成を有する防護ガウンの留め具による留め方について、図３から図６を参照して以下に説明する。図３から図６は、本実施形態の防護ガウンの襟部に取り付けられた面ファスナ７の構成の具体例をそれぞれ示す図である。尚、本実施形態において、防護ガウンの他の位置及びマスク部分に取り付けられる面ファスナは、襟部に取り付けられる面ファスナと同様、各図に示すように他の面ファスナも取り付けられる。
【００１２】
一般的に、右側身頃３及び左側身頃４の側縁部に取り付けられる留め具としての面ファスナ７は、図３（ａ）のように右側身頃３及び左側身頃４の何れか一方の側縁部外面と他方の側縁部内面とに取り付けられており、双方の面ファスナ７を係合することにより両側身頃を留めている。これに対し、本実施形態の防護ガウン１における面ファスナ７は、図３（ａ）のような一般的な構成とは異なり、図４（ａ）のように右側身頃３及び左側身頃４双方の側縁部の内面に取り付けられており、この双方の側縁部内面を図４（ｂ）のように対向させて双方の面ファスナ７を係止して防護ガウン１を留めるようにするようになっている。また、マスク部分８についても、防護ガウン１と同様に、頸の後ろで双方の側縁部内面を図４（ｂ）のように対向させて面ファスナ７を係止して留めるようにする。以上のようにして面ファスナ７で右側身頃３及び左側身頃４を留めることにより、防護ガウン１及びマスク部分８の着用が完了し、医療従事者は医療行為を行うこととなる。
【００１３】
そして医療行為終了後、着用者である医療従事者が、防護ガウン１の前身頃２を掴んで医療従事者から見て前方に向かって前身頃２を引っ張ることにより、図４（ｂ）のような面ファスナ７の留め方から、係合していた各面ファスナ７に図４（ｂ）中矢印方向の引張力が掛かり、その結果、係合していた面ファスナ７が容易に剥離して防護ガウン１及びマスク部分８の背面側が開いた状態となる。これは、図３（ａ）に示すような従来の面ファスナ７の取り付け方では、前身頃２を引っ張っても図３（ｂ）中矢印方向の引張力が生じるため、背開きの状態にするには大きな力が必要となり、容易に背開きの状態にすることはできないが、本実施形態の防護ガウン及びマスク部分のような構成のため、大きな力を必要とせず、容易に背開きの状態にすることができる。
【００１４】
このような背開きの状態から、着用者が更に前身頃２を引っ張ることで、着用者は防護ガウン１とマスク部分８とを脱衣することができる。その結果、医療従事者は、感染患者や感染物に触れた後の手を自らの顔に近付けることなく、簡単に防護ガウン１及びマスク部分８を脱衣することができる。
【００１５】
また、右側身頃３及び左側身頃４の側縁部に取り付けられる面ファスナ７において、上記とは異なる構成として、面ファスナ７を図５（ａ）のように右側身頃３及び左側身頃４双方の側縁部の外面に取り付け、右側身頃３及び左側身頃４の何れか一方の側縁部外面を図５（ｂ）のように内側に折り込んで他方の側縁部外面に対向させ、双方の面ファスナ７を係止することによって防護ガウン１及びマスク部分８を留めるようにしてもよい。このような面ファスナ７の留め方で着用した防護ガウン１及びマスク部分８を医療行為終了後に脱衣する場合、上記実施形態と同様に医療従事者が防護ガウン１の前身頃２を掴んで医療従事者の前方に向かって引っ張ることにより、図５（ｂ）のような面ファスナ７の留め方から、係合していた各面ファスナ７に図５（ｂ）中矢印方向の引張力が掛かるため、まず係合していた面ファスナ７が容易に剥離し、防護ガウン１及びマスク部分８の背面側が開いた状態となる。そして、この背開きの状態で着用者が更に前身頃２を引っ張ることにより、着用者は、感染患者や感染物に触れた後の手を自らの顔に近付けることなく防護ガウン１とマスク部分８とを脱衣することができる。
【００１６】
また、面ファスナ７を図６（ａ）のように右側身頃３及び左側身頃４双方の側縁部外面に取り付け、双方の側縁部外面を図６（ｂ）のように内側に折り込んで対向させて面ファスナ７を係止して防護ガウン１及びマスク部分８を着用するようにしてもよい。このように着用した防護ガウン１及びマスク部分８を医療行為終了後に脱衣する場合においても、上記実施形態と同様に、医療従事者が防護ガウン１の前身頃２を掴んで医療従事者の前方に向かって引っ張ることにより、まず係合していた面ファスナ７が容易に剥離し、防護ガウン１及びマスク部分８が背開きの状態となり、しかる後に更に前身頃２を引っ張ることにより、着用者は、感染患者や感染物に触れた後の手を自らの顔に近付けることなく防護ガウン１とマスク部分８とを脱衣することができる。
【００１７】
さらに、本発明の防護ガウン１における他の構成として、図７のように右側身頃３及び左側身頃４の何れか一方（本実施形態では、右側身頃）の側縁部外面に引張紐９の一端部を固着しておき、上述の如く右側身頃３及び左側身頃４を面ファスナ７により留めて防護ガウン１及びマスク部分８を着用する際に、前記引張紐９を肩に掛けて引張紐９の他端部を医療従事者の前面側に垂らした状態で着用するようにしてもよい。このように着用した防護ガウン１及びマスク部分８を医療行為終了後に脱衣する場合、医療従事者が前記引張紐９を医療従事者の前方に向かって引っ張ると、面ファスナ７が容易に剥離し、防護ガウン１及びマスク部分８が背開きの状態となり、しかる後に更に引張紐９を引っ張ることにより、着用者は、感染患者や感染物に触れた後の手を自らの顔に近付けることなく防護ガウン１とマスク部分８とを脱衣することができる。
【００１８】
尚、本発明の上記防護ガウン１の右側身頃３及び左側身頃４に腰紐を設けてもよく、このように腰紐を設けることにより、着用者は、着用時に腰紐を結んで確実に防護ガウン１を身体に着用することができる。勿論、脱衣時に感染患者や感染物に触れた後の手を自らの顔に近付けることはない。また、この防護ガウン１に取り付ける腰紐を留め具により留めるように構成してもよい。具体的には、一方の腰紐の一端部を右側身頃３に固着し且つ他端部には留め具として第一の面ファスナを設け、他方の腰紐の一端部を左側身頃４に固着し且つ他端部に前記第一面ファスナと係合するための第二の面ファスナを設ける。そして、図４（ｂ），図５（ｂ）もしくは図６（ｂ）に示すような形態で第一面ファスナと第二面ファスナとを係合させて腰紐を留めることにより、腰紐を結ばずに留めることができる。
【００１９】
更に、上記のような面ファスナを用いた腰紐としては、図８（ａ）のように、第二の面ファスナ４ｂを他方の腰紐４ａの一端部（自由端部）ではなく、腰紐４ａの中間付近に取り付けてもよい。このように第二面ファスナ４ｂを取り付けることで防護ガウンは図８（ｂ）のような形態で着用されることとなるが、医療行為終了時に着用者がこの防護ガウンを脱衣する場合には、他方の腰紐４ｂの一端部を掴んで下方に引っ張ることにより、係合した双方の面ファスナ３ｂ，４ｂを容易に外すことができる。また、このような構成にすることで腰紐３ａ，４ａを短くすることができるため、医療行為中に汚れた腰紐３ａ，４ａが脱衣時に着用者の背中に極力触れないようになるという利点がある。
【００２０】
また、医療行為中に患者から血液が多量に飛散する可能性が高い場合等に、医療従事者は予め防護ガウン１の上からエプロンを着用して医療行為を行うが、このエプロンについても、図９のように構成することで、着用者である医療従事者が感染患者や感染物に触れた後の手を自らの顔に近付けることなく脱衣することができるようになる。以下、本発明の医療用防護具であるエプロン１０について説明する。
【００２１】
本発明のエプロン１０の腰紐１１は、スリット１１ａが入った前結び式となっており、この腰紐１１に引っ張りの負荷がかかることで、腰紐１１自体が切れるようになっている。また頸紐１２は、頸の後ろで結んで留めるものではなく、前で留めるように構成されている。具体的には、頸紐１２の一端部をエプロン１０の前掛け部１０ａの上方部分における左右何れか一方の側（図９では着用者から見て右側）に固着し、他端部には留め具として第一の面ファスナ７ａを設け、更に頸紐の固着箇所とは反対側（図９では着用者から見て左側）の前掛け部１０ａの前面には、頸紐１２の他端部に設けられた第一面ファスナ７と係合するための第二の面ファスナ７ｂを設けている。
【００２２】
以上のように構成されたエプロン１０によれば、前記第一面ファスナ７ａ及び第二面ファスナ７ｂによって着用者は胸部付近で頸紐１２の着脱を行うことができるため、感染患者や感染物に触れた後の手を自らの顔に近付けることなく頸紐１２を外すことができる。更に着用者は、上記のように頸紐１２を外してからエプロン１０の前掛け部１０ａを掴んで前方に向かって引っ張ることにより、スリット１１ａの入った腰紐１１を切断することができるため、素早くエプロンを脱衣することができる。
【００２３】
尚、上記エプロン１０の腰紐１１は、スリット１１ａが入っているため、着用者が前掛け部１０ａを掴んで前方に向かって引っ張ることにより、スリット１１ａの入った腰紐１１を切断して素早くエプロンを脱衣することができるよう構成されているが、腰紐１１の素材として、ある一定の方向には切断されやすく他方向には切断されにくいような素材の強度に方向性のある不織布を用いても、上記と同様の効果を得ることができる。具体的には、エプロン１０の腰紐１１を、腰紐１１の幅方向と不織布の切断されやすい方向とが一致したものにすることで、着用者は腰紐１１を幅方向に容易に切断することができ、その結果、素早くエプロンを脱衣することができる。
【００２４】
更に、上記エプロン１０に取り付けられる上記第二面ファスナ７ｂの形状を、上下方向に長い略矩形形状とすることで、着用者が第一面ファスナ７ａと第二面ファスナ７ｂとの係合位置を変えることにより簡単に頸紐の長さを調節することができる。
【００２５】
また本発明のエプロン１０によれば、着用者は、上述の如く胸部付近で頸紐１２の着脱を行うことで、感染患者や感染物に触れた後の手を自らの顔に近付けることなく頸紐１２を外すことができるように構成しているが、上記防護ガウンと同様に、着用者の頸の後ろで留め具により頸紐を留めるように構成してもよい。具体的には、図１０（ａ）のように、頸紐１２ａの一端部をエプロン１０の前掛け部１０ａの上方部分における左右何れか一方の側に固着し、他端部には留め具として第一の面ファスナ７ａを設け、更に頸紐の固着箇所とは反対側の前掛け部１０ａの上方部分にも、同様に頸紐１２ｂの一端部を固着し且つ他端部に第一面ファスナ７ａと係合するための第二の面ファスナ７ｂを設ける。そして、図４（ｂ），図５（ｂ）もしくは図６（ｂ）に示すような形態で頸紐１２ａ，１２ｂを留めることにより、着用者の頸の後ろで、頸紐１２ａ，１２ｂを結ばずに留めることができる。
【００２６】
そして、このような構成のエプロン１０によれば、医療従事者がエプロン１０の前掛け部１０ａを掴んで医療従事者の前方に向かって引っ張ることにより、まず係合していた面ファスナ７ａ，７ｂが容易に剥離して頸紐１２ａ，１２ｂが外れた状態となり、しかる後に更に前掛け部１０ａを引っ張ることにより、着用者は、感染患者や感染物に触れた後の手を自らの顔に近付けることなくエプロン１０を脱衣することができる。
【００２７】
また図１０（ｂ）のように、頸紐１２ａの一端部をエプロン１０の前掛け部１０ａの上方部分における左右何れか一方の側に固着し、他端部には留め具として第一の面ファスナ７ａを設け、更に頸紐の固着箇所とは反対側の前掛け部１０ａの前面に第二の面ファスナ７ｂを取り付けると共に、頸紐１２ｂの一端部には前記第一面ファスナ７ａと係合するための第三の面ファスナ７ｃを、他端部には第二面ファスナ７ｂと係合するための第四の面ファスナ７ｄを設けてもよい。そして、図４（ｂ），図５（ｂ）もしくは図６（ｂ）に示すような形態で頸紐１２ａの第一面ファスナ７ａと頸紐１２ｂの第三面ファスナ７ｃとを留めることにより、着用者の頸の後ろで頸紐１２ａ，１２ｂを結ばずに留めることができる。尚、この頸紐１２ａは、エプロン１０の前掛け部１０ａの左右何れか一方側における上方部分を紐状になるようにカットすることで作製し、第三面ファスナ７ｃとの留め具として図１０（ｂ）のような構成としてもよい。
【００２８】
そして、このような構成により、医療従事者は、前掛け部１０ａを掴んで医療従事者の前方に向かって引っ張ることにより、まず係合していた面ファスナ７ａ，７ｃが容易に剥離して頸紐１２ａ，１２ｂが外れた状態となり、しかる後に更に前掛け部１０ａを引っ張ることにより、着用者は、感染患者や感染物に触れた後の手を自らの顔に近付けることなくエプロン１０を脱衣することができる。また、この構成において、第二面ファスナ７ｂの形状を上下方向に長い略矩形形状とすると、着用者が第二面ファスナ７ｂと第四面ファスナ７ｄとの係合位置を変えることにより簡単に頸紐の長さを調節することが可能となる。
【００２９】
また、通常なら図９のような構成でも十分に安全性は確保されるが、特に患者の出血が多量であり、医療行為中に頸紐に患者の血が付着してしまう場合等は、脱衣時に胸部から肩部，頸部へと頸紐が回って外れる際に頸部等に血が付着する危険性がある。そこで、図１０（ｂ）のような構成にすることで、医療従事者は、前掛け部１０ａを掴んで医療従事者の前方に向かって引っ張ることによって、面ファスナ７ａ，７ｃが容易に剥離して頸紐１２ａ，１２ｂが外れた状態となり、しかる後に更に前掛け部１０ａを引っ張ることにより、第四面ファスナ７ｄの設けられた頸紐１２ｂの端部は胸部から肩部，頸部へと回って外れることなく、エプロン１０を脱衣することができる。このように、図１０（ｂ）の構成によれば、より高い安全性の確保を実現することができる。
【００３０】
尚、頸紐１２ａ，１２ｂのみならず腰紐１１についても、図４（ｂ），図５（ｂ）もしくは図６（ｂ）に示すような形態で留め具により留めるように構成することで、腰紐１１にスリット１１ａを設けなくとも上記と同様の効果を得ることができる。また、エプロン１０の構成を、上記防護ガウン１の如く着用者の背面で図２のように面ファスナにより留めるように構成しても、同様の効果を得ることができる。
【００３１】
尚、本発明のエプロン１０に使用される布地の素材としては、上記防護ガウン１と同様に、菌やウィルスに対してバリヤー性が高く、また医療行為をし易いように通気性のあるものが好ましいことから不織布が用いられている。この不織布には撥水／防水素材あるいは吸水／防水素材が用いられ、フィルム加工した防水素材によってバリヤー性の確保が実現されている。
【００３２】
更に医療従事者は、医療用防護具としてマスクを口部に着用し，上記のような防護ガウン１とエプロン１０を着用する他に、頭部にキャップを，両眼部にアイシールドを着用して医療行為を行うが、このアイシールドを、略矩形の透明フィルムの上縁部に両面粘着テープを取り付けて構成することにより、アイシールドの両面粘着テープをキャップに貼り付けるだけで、アイシールドを簡単に装着することができ、着脱が容易となる。また、上述の如く簡単な構成であるため、通常のようにゴーグル型のアイシールドを着用する場合と比べ、透明フィルムに曇りが生じることがなく、更に、軽量であるために医療行為の邪魔になることもないという利点がある。
【００３３】
尚、本発明のマスク部分８付の防護ガウン１，エプロン１０，アイシールドに加えてマスクとキャップに使用される素材を安価なものにすれば、医療用防護具を全て使い捨て可能とすることができるため、医療用防護具を全てまとめて廃棄することで、医療用防護具が新たな感染源となり得る虞がなくなり、より一層安全性の確保を図ることができる。
【００３４】
【発明の効果】
以上述べたように、本発明のマスク部分付の防護ガウン，エプロン，アイシールドに加えてマスクとキャップから成る医療用防護具セットを着用することにより、菌やウィルスの感染患者あるいは感染物から、着用者たる医療従事者が感染しないようにできる。また医療従事者は、本発明の医療用防護具たるマスク部分付防護ガウン及びエプロンを着用することにより、感染患者や感染物に触れた後の手を自らの顔に近付けることなく脱衣することができるため、感染の危険性を一層低減させることができる。更に、マスク部分付の防護ガウン，エプロン，アイシールド，マスク及びキャップを全て使い捨て可能とすることにより、これらの医療用防護具が新たな感染源となり得る虞がなくなり、より一層の安全性の確保が図られる。
【図面の簡単な説明】
【図１】本発明の一実施形態による医療用防護具セットの防護ガウンの構成図である。
【図２】本防護ガウンの着用時の形態を説明する図であり、図２（ａ）は正面側から見た図，図２（ｂ）は背面側から見た図である。
【図３】防護ガウンの襟部に取り付けられる面ファスナの構成の従来例を示す図であり、図３（ａ）は背面側から見た図，図３（ｂ）は断面を示す図である。
【図４】本発明の防護ガウンの襟部に取り付けられた面ファスナの構成の第一例を示す図であり、図４（ａ）は背面側から見た図，図４（ｂ）は断面を示す図である。
【図５】本発明の防護ガウンの襟部に取り付けられた面ファスナの構成の第二例を示す図であり、図５（ａ）は背面側から見た図，図５（ｂ）は断面を示す図である。
【図６】本発明の防護ガウンの襟部に取り付けられた面ファスナの構成の第三例を示す図であり、図６（ａ）は背面側から見た図，図６（ｂ）は断面を示す図である。
【図７】本発明の防護ガウンの襟部に取り付けられた面ファスナの構成の第四例を示す図であり、図７（ａ），（ｂ）は着用時の形態を説明する図，図７（ｃ）は背面側から見た構成図である。
【図８】腰紐が取り付けられた防護ガウンの構成の一例を示す図であり、図８（ａ）は正面から見た構成図，図８（ｂ）は着用時の形態を側面から見た図である。
【図９】本発明の医療用防護具たるエプロンの構成の第一例を示す図である。
【図１０】本発明の医療用防護具たるエプロンの構成の他の例を示す図であり、図９（ａ）は第二例を、図９（ｂ）は第三例を示す図である。
【符号の説明】
１…防護ガウン、２…前身頃、３…右側身頃、３ａ…腰紐、３ｂ…第一面ファスナ、４…左側身頃、４ａ…腰紐、４ｂ…第二面ファスナ、５ａ，５ｂ…袖、６…襟部、７…面ファスナ、７ａ…第一面ファスナ、７ｂ…第二面ファスナ、８…マスク部分、９…引張紐、１０…エプロン、１０ａ…前掛け部、１１…腰紐、１１ａ…スリット、１２…首紐。
【図１】
0003689864.tif 000002
【図２】
0003689864.tif 000003
【図３】
0003689864.tif 000004
【図４】
0003689864.tif 000005
【図５】
0003689864.tif 000006
【図６】
0003689864.tif 000007
【図７】
0003689864.tif 000008
【図８】
0003689864.tif 000009
【図９】
0003689864.tif 000010
【図１０】
0003689864.tif 000011